(57)【特許請求の範囲】
【請求項１】
トレイに載置された用紙を、昇降可能な押圧部材により、給紙ローラに押圧し、前記給紙ローラの回転により、供給先へ供給する給紙装置であって、
前記給紙ローラに用紙を押圧する押圧位置及び押圧を解放する解放位置の間で昇降可能な押圧部材と、
前記押圧部材の押圧位置への上昇を抑止する抑止位置及び抑止を解除する解除位置の間で移動可能な抑止機構と、
前記給紙ローラの回転に連動して、前記抑止機構を解除位置に移動させる連動機構と
を備え、
前記抑止機構は、
前記押圧部材に係合する係合孔を有し、
前記抑止位置で押圧部材に係合し、
前記解除位置で係合を解除する
ことを特徴とする給紙装置。
【請求項２】
請求項１に記載の給紙装置であって、
前記連動機構は、
前記給紙ローラの回転に連動して回転する連動回転体と、
前記抑止機構に当接して移動させる当接部材と、
前記連動回転体を前記当接部材に圧接させる圧接部材と
を有し、
前記当接部材は、
圧接された前記連動機構の回転に伴い、前記抑止機構が少なくとも解除位置に移動するまで前記抑止機構を押圧する
ことを特徴とする給紙装置。
【請求項３】
請求項２に記載の給紙装置であって、
前記連動回転体は、
側面に歯が形成された有底円筒状をなす平歯車であり、
前記給紙ローラと共有する軸の回転にて前記給紙ローラと供に回転するローラ側ギアに、中間ギアを介して歯合し、
前記圧接部材は、
前記連動回転体に内嵌して、前記連動回転体の底面を前記当接部材に圧接させる圧縮スプリングであり、
前記当接部材は、
前記中間ギアを軸支する軸に遊嵌し、
前記連動回転体の軸を保持し、
前記中間ギアの軸を揺動中心として揺動する揺動カムとして、圧接された前記連動回転体の回転に伴い前記抑止機構を押圧し、
前記抑止機構が解除位置に到達後、連動動作を停止して、回転する前記連動回転体と摺接する
ことを特徴とする給紙装置。
【請求項４】
トレイに載置された用紙を、昇降可能な押圧部材により、給紙ローラに押圧し、前記給紙ローラの回転により、供給先へ供給する給紙装置であって、
前記給紙ローラに用紙を押圧する押圧位置及び押圧を解放する解放位置の間で昇降可能な押圧部材と、
前記押圧部材の押圧位置への上昇を抑止する抑止位置及び抑止を解除する解除位置の間で移動可能な抑止機構と、
前記給紙ローラの回転に連動して、前記抑止機構を解除位置に移動させる連動機構と
を備え、
前記連動機構は、
前記給紙ローラの回転に連動して回転する連動回転体と、
前記抑止機構に当接して移動させる当接部材と、
前記連動回転体を前記当接部材に圧接させる圧接部材と
を有し、
前記当接部材は、
圧接された前記連動回転体の回転に伴い、前記抑止機構が少なくとも解除位置に移動するまで前記抑止機構を押圧し、
前記連動回転体は、
側面に歯が形成された有底円筒状をなす平歯車であり、
前記給紙ローラと共有する軸の回転にて前記給紙ローラと供に回転するローラ側ギアに、中間ギアを介して歯合し、
前記圧接部材は、
前記連動回転体に内嵌して、前記連動回転体の底面を前記当接部材に圧接させる圧縮スプリングであり、
前記当接部材は、
前記中間ギアを軸支する軸に遊嵌し、
前記連動回転体の軸を保持し、
前記中間ギアの軸を揺動中心として揺動する揺動カムとして、圧接された前記連動回転体の回転に伴い前記抑止機構を押圧する
ことを特徴とする給紙装置。
【請求項５】
請求項１から請求項４のいずれか１項に記載の給紙装置であって、
前記抑止機構は、
長尺板状をなし、前記抑止位置で前記押圧部材に係合する係合孔を有する係合部材と、
前記係合部材に連結された揺動部材と
を備え、
前記揺動部材は、
前記連動機構からの作用を受けて揺動し、
前記連動機構からの作用による揺動を、前記係合部材の長手方向の直線運動に変換するスライドリンク部を有し、
前記係合部材は、長手方向となる、前記係合孔にて前記押圧部材に係合する前記抑止位置、及び係合を解除する前記解除位置の間で移動可能であり、
前記スライドリンク部と係合する連結係合部を備え、
前記連結係合部が前記スライドリンク部からの作用を受けて、前記抑止位置から前記解除位置へ移動する
ことを特徴とする給紙装置。
【請求項６】
請求項１から請求項５のいずれか１項に記載の給紙装置であって、
前記押圧部材は、
用紙を載置する載置面を有する板状をなし、
前記給紙ローラの回転軸に平行に配置された揺動軸と、
前記載置面の裏面に位置する圧縮スプリングと、
前記抑止機構に係合する係合爪と
を備えることを特徴とする給紙装置。
【請求項７】
請求項１から請求項６までのいずれか１項に記載の給紙装置と、
前記給紙装置から供給された用紙上に画像を形成する画像形成部と
を備えることを特徴とする画像形成装置。
【発明の詳細な説明】
【技術分野】
【０００１】
本発明は、トレイに載置された用紙を、給紙ローラの回転により供給する給紙装置、及びそのような給紙装置を備える画像形成装置に関する。
【背景技術】
【０００２】
トレイに載置された用紙を供給する給紙機構を有する給紙装置が、供給された用紙上に画像を形成するプリンター機、ファクシミリ機、コピー機等の画像形成装置として広く普及している。例えば、特許文献１には、給紙トレイに積み重ねられた用紙を給紙ローラに押圧し、給紙ローラの回転により供給する給紙機構が開示されている。
【０００３】
特許文献１に開示された給紙機構は、給紙トレイに積載した用紙の高さが所定の位置から下がると、給紙ローラの回転駆動部の回転出力を、電磁クラッチを介して給紙エレベータ機構部に伝達することにより、用紙を給紙ローラに押圧するというものである。
【先行技術文献】
【特許文献】
【０００４】
【特許文献１】特開２００１−８０７６７号公報
【発明の概要】
【発明が解決しようとする課題】
【０００５】
しかしながら、特許文献１に開示された給紙機構では、電磁クラッチを用いるため、大型化するという問題がある。給紙機構の大型化は、当該機構を用いる給紙装置、更には画像形成装置の大型化にもつながるという問題がある。また、電磁クラッチは制御系統の複雑化にもつながるという問題がある。
【０００６】
本発明は、このような状況に鑑みてなされたものであり、トレイに載置された用紙を押圧する押圧部材の上昇を、電磁クラッチを用いずに実現することにより、小型化が可能で、制御系統を必要以上に複雑化させることがない給紙装置の提供を目的とする。
【０００７】
また、本発明は、本発明に係る給紙装置を備える画像形成装置の提供を他の目的とする。
【課題を解決するための手段】
【０００８】
上記課題を解決するために、本発明に係る給紙装置は、トレイに載置された用紙を、昇降可能な押圧部材により、給紙ローラに押圧し、前記給紙ローラの回転により、供給先へ供給する給紙装置であって、前記給紙ローラに用紙を押圧する押圧位置及び押圧を解放する解放位置の間で昇降可能な押圧部材と、前記押圧部材の押圧位置への上昇を抑止する抑止位置及び抑止を解除する解除位置の間で移動可能な抑止機構と、前記給紙ローラの回転に連動して、前記抑止機構を解除位置に移動させる連動機構とを備えることを特徴とする。
【０００９】
また、本発明に係る給紙装置は、前記連動機構は、前記給紙ローラの回転に連動して回転する連動回転体と、前記抑止機構に当接して移動させる当接部材と、前記連動回転体を前記当接部材に圧接させる圧接部材とを有し、前記当接部材は、圧接された前記連動回転体の回転に伴い、前記抑止機構が少なくとも解除位置に移動するまで前記抑止機構を押圧することを特徴とする。
【００１０】
また、本発明に係る給紙装置は、前記抑止機構は、前記押圧部材に係合する係合孔を有し、前記抑止位置で押圧部材に係合し、前記解除位置で係合を解除することを特徴とする。
【００１１】
また、本発明に係る給紙装置は、前記押圧部材は、用紙を載置する載置面を有する板状をなし、前記給紙ローラの回転軸に平行に配置された揺動軸と、前記載置面の裏面に位置する圧縮スプリングと、前記抑止機構に係合する係合爪とを備えることを特徴とする。
【００１２】
本発明に係る画像形成装置は、前記給紙装置と、前記給紙装置から供給された用紙上に画像を形成する画像形成部とを備えることを特徴とする。
【発明の効果】
【００１３】
本発明に係る給紙装置及び画像形成装置は、トレイに載置された用紙を押圧する押圧部材の上昇を抑止する抑止機構を設け、給紙ローラを軸支する回転軸の回転に連動して抑止機構による抑止を解除する。この構成により、装置の大型化、制御系統の複雑化の要因となりやすい電磁クラッチ等の機構を必要としないため、装置の小型化、薄型化が容易であり、制御系統を必要以上に複雑化させることがない等、優れた効果を奏する。
【図面の簡単な説明】
【００１４】
【図１】本発明に係る給紙装置の外観の一例を示す概略斜視図である。
【図２】本発明に係る給紙装置の外観の一部の例を示す概略斜視図である。
【図３】本発明に係る給紙装置の手差しトレイの一例を模式的に示す側面図である。
【図４】本発明に係る給紙装置の手差しトレイの一例を模式的に示す側面図である。
【図５】本発明に係る給紙装置が備える手差しトレイ及びその周辺の部材の一例を示す概略斜視図である。
【図６】本発明に係る給紙装置が備える手差しトレイ及びその周辺の部材の一例を示す概略斜視図である。
【図７】本発明に係る給紙装置が備える給紙ローラ及びその周辺の部材の一例を示す概略斜視図である。
【図８】本発明に係る給紙装置が備える給紙ローラ及びその周辺の部材の一例を示す概略斜視図である。
【図９】本発明に係る給紙装置が備える給紙ローラ及びその周辺の部材の一例を示す概略斜視図である。
【図１０】本発明に係る給紙装置が備える給紙ローラ及びその周辺の部材の一例を示す概略斜視図である。
【図１１】本発明に係る給紙装置が備える連動機構の一例を模式的に示す断面図である。
【図１２】本発明に係る給紙装置が備える手差しトレイ及びその周辺の部材の一例を示す概略斜視図である。
【図１３】本発明に係る給紙装置が備える手差しトレイ及び周辺の部材の一例を示す概略図である。
【図１４】本発明に係る給紙装置が備える手差しトレイ及び周辺の部材の一例を示す概略図である。
【図１５】本発明に係る給紙装置が備える手差しトレイ及び周辺の部材の一例を示す概略図である。
【発明を実施するための形態】
【００１５】
以下、本発明の実施形態について図面を参照しながら説明する。なお、以下の実施形態は、本発明を具現化した一例であって、本発明の技術的範囲を限定する性格のものではない。
【００１６】
（第１の実施形態）
図１は、本発明に係る給紙装置の外観の一例を示す概略斜視図であり、図２は、本発明に係る給紙装置の外観の一部の例を示す概略斜視図である。図１及び図２に示す本発明に係る給紙装置１は、プリンター機、ファクシミリ機、コピー機等の内部に後述する画像形成部を備えた画像形成装置２に適用した例を示している。ただし、以下の説明では給紙装置１として説明し、必要に応じて画像形成装置２ともいうものとする。
【００１７】
給紙装置１は、略立体形状をなし、上部には、原稿上に形成されている画像を読み取る読取部１０が配設されている。読取部１０は、読み取りの対象となる原稿を載置する載置台１００を有しており、載置台１００に載置された原稿を、図示しない取込ローラにて取り込み、取り込んだ原稿から画像を読み取って排出する。
【００１８】
また、給紙装置１の上部において、読取部１０の手前には、ユーザの操作を受け付ける操作パネル１１が配設されており、操作パネル１１には、各種キーが配設されている。読取部１０の下方には、画像が形成された用紙を排出する排出部１２が配設されている。
【００１９】
給紙装置１の前面（図中左側）には、開閉可能な開閉部１３と引き出し可能な収容部１４の引き出し口とが配置されている。開閉部１３を開くことにより、給紙装置１の内部に装填されたインクカートリッジの取り替え等の作業を行うことができる。開閉部１３の下方に配置された収容部１４は、用紙を積載して収容する用紙カセットであり、収容部１４を引き出すことにより用紙の収納等の作業を行うことができる。
【００２０】
給紙装置１の右側面には、開閉可能な手差しトレイ１５が配置されている。手差しトレイ１５は、収容部１４に収容されている用紙以外の用紙を使用する際に用いられる。図２は、手差しトレイ１５を開いた状態を示しており、一方の長辺が給紙装置１本体に揺動可能に軸支された長方形状をなす蓋板１５０を開き、更に、他方の長辺に揺動可能に軸支されている折返し板１５１を開いた状態を示している。開いた蓋板１５０及び折返し板１５１の本体側の面は、手差しトレイ１５の底面となり、底面上に画像形成媒体となる用紙が載置される。また、手差しトレイ１５の奥には、手差しトレイ１５に載置された用紙を取り込む給紙ローラ１６が配設されている。
【００２１】
図３及び図４は、本発明に係る給紙装置１の手差しトレイ１５の一例を模式的に示す側面図である。本発明に係る給紙装置１では、回転軸１６０に軸支された給紙ローラ１６が回転することにより、手差しトレイ１５上の用紙を、最上位に載置された用紙から一枚ずつ搬送ガイド１７に沿って、画像形成部１８へ供給する。画像形成部１８では、供給された用紙に対し、原稿から読み取った画像に基づいて帯電させ、トナーを転写することにより、用紙上に画像を形成する。画像が形成された用紙は排出部１２から排出される。
【００２２】
給紙ローラ１６の回転にて用紙を供給するために、手差しトレイ１５の底面上には昇降可能な昇降トレイ等の押圧部材１９が配設されており、手差しトレイ１５に載置された用紙を、押圧部材１９により給紙ローラ１６に押圧する。押圧部材１９は、給紙ローラ１６に用紙を押圧する押圧位置及び押圧を解放する解放位置の間で昇降する。図３は、押圧部材１９が解放位置にある状態を示しており、図４は、押圧部材１９が押圧位置にある状態を示している。
【００２３】
押圧部材１９が解放位置にある場合、手差しトレイ１５上に用紙を載置する作業を行うことが可能であり、給紙ローラ１６が回転を始めると押圧部材１９が押圧位置まで上昇し、用紙の供給が開始される。
【００２４】
押圧部材１９は、用紙を載置する載置面を有する長方形の板状をなしており、載置面の裏面には押圧用圧縮スプリング１９０が配置されており、押圧用圧縮スプリング１９０により、手差しトレイ１５の底面から押圧されている。
【００２５】
また、押圧部材１９の裏面には、後述する抑止機構２１に係合する係合爪１９１が設けられており、係合爪１９１が抑止機構２１に係合することにより、押圧部材１９は解放位置に保持される。そして、係合爪１９１の係合が外れると、押圧部材１９は、押圧用圧縮スプリング１９０に押し上げられて押圧位置まで上昇する。押圧位置への上昇は、給紙ローラ１６の回転軸１６０に平行に配置された揺動軸１９２を中心とした揺動であり、揺動による押圧部材１９の上昇により、搬送ガイド１７への送り出しに好適な状態となる。
【００２６】
図５及び図６は、本発明に係る給紙装置１が備える手差しトレイ１５及びその周辺の部材の一部を示す概略斜視図である。図５は、蓋板１５０を開き、更に折返し板１５１を開いた状態の手差しトレイ１５の全体を示しており、図６は、図５から押圧部材１９を外した状態を示している。
【００２７】
手差しトレイ１５の底面上には、板状をなす押圧部材１９が配設されている。押圧部材１９は、長方形状をなし、一方の長辺には、給紙ローラ１６の回転軸１６０に平行に配置された揺動軸１９２を有しており、他方の長辺は、搬送ガイド１７の近傍に位置している。搬送ガイド１７は、手差しトレイ１５の給紙方向に直交する方向の幅と同程度の幅を有しており、給紙方向に対して左端側には、連動機構２０が配置されている。
【００２８】
本発明に係る給紙装置１は、上記押圧部材１９と、押圧部材１９への上昇を抑止する抑止位置及び抑止を解除する解除位置の間で移動可能な抑止機構２１と、給紙ローラ１６の回転に連動して、抑止機構２１を解除位置に移動させる連動機構２０とを備えている。以下、連動機構２０及び抑止機構２１について順次説明する。
【００２９】
＜連動機構２０の説明＞
図７、図８、図９及び図１０は、本発明に係る給紙装置１が備える給紙ローラ１６及びその周辺の部材の一例を示す概略斜視図である。給紙ローラ１６を軸支する回転軸１６０の一端には、モータを用いた駆動部（図示せず）により回転駆動される駆動ギア１６１が設けられており、駆動ギア１６１を介して伝達される動力により給紙ローラ１６は回転する。
【００３０】
給紙ローラ１６の回転軸１６０には、駆動ギア１６１が設けられた一端側の近傍に、給紙ローラ１６の回転に連動する連動機構２０が連結されている。連動機構２０は、給紙ローラ１６の回転に連動して回転する連動回転体２００と、抑止機構２１に当接する当接部材２０１と、連動回転体２００を当接部材２０１に圧接させる連動用圧縮スプリング等の圧接部材２０２（図１１参照）とを備えている。連動機構２０が備える圧接部材２０２については後述する。
【００３１】
連動回転体２００は、側面に歯合用の歯が形成された有底円筒状をなす平歯車であり、給紙ローラ１６の回転軸１６０に軸支されたローラ側ギア２０３に、中間ギア２０４を介して歯合している。当接部材２０１は、連動回転体２００の回転軸を保持するホルダを用いて形成されており、中間ギア２０４を軸支する回転軸に遊嵌している。ここでいう遊嵌とは、回転軸に対して揺動自在であり、回転軸を一にする中間ギア２０４と異なる動きが可能であることを示す。
【００３２】
ホルダとして形成された当接部材２０１は、抑止機構２１に当接する当接部２０１０を備えており、中間ギア２０４の回転軸を揺動軸とする揺動カムとして機能する。揺動カムとしての当接部材２０１は、圧接された連動回転体２００の回転に伴う揺動に伴って起き上がり、当接部２０１０が抑止機構２１に当接し、更なる連動回転体２００の回転に伴う揺動により、抑止機構２１が押圧部材１９の係合を解除する解除位置に移動するまで当接部２０１０が当接した状態で押圧する。圧接された連動回転体２００の回転に連動する揺動により、抑止機構２１が解除位置に移動するまで押圧した当接部材２０１は、抑止機構２１が解除位置に到達後、解除位置で移動が規制される抑止機構２１からの反作用により、連動動作としての揺動を停止し、回転する連動回転体２００と摺接した状態を維持する。
【００３３】
また、当接部材２０１には、連動回転体２００との連動による揺動方向と反対方向へ付勢するキックバネ等の付勢部材２０１１が係着されている。給紙ローラ１６の回転が停止することにより、連動回転体２００の回転も停止すると、当接部材２０１は、付勢部材２０１１により、連動回転体２００との連動による揺動方向とは反対の方向へ揺動し、連動開始前の位置まで戻る。
【００３４】
図１１は、本発明に係る給紙装置１が備える連動機構２０の一例を模式的に示す断面図である。図１１は、連動機構２０に対し、連動回転体２００の回転軸に平行な面で切断した断面を模式的に示している。当接部材２０１の図中右側に示した内壁に、有底円筒状をなす連動回転体２００の底面が当接している。連動回転体２００には、連動用圧縮スプリング等の圧接部材２０２が内嵌されており、圧接部材２０２の付勢により、連動回転体２００の底面が当接部材２０１に押圧される。当接部材２０１と連動回転体２００とは摺動自在に接するため、抑止機構２１が解除位置に到達するまでは、当接部材２０１は連動回転体２００に連動して揺動するが、抑止機構２１が解除位置に到達後、抑止機構２１の移動が規制されるため、当接部材２０１と連動回転体２００とは摺接することになる。
【００３５】
＜押圧部材１９及び抑止機構２１の説明＞
図１２は、図６の一部拡大図である。図１３、図１４及び図１５は、本発明に係る給紙装置１が備える手差しトレイ１５及び周辺の部材の一例を示す概略図である。図１３及び図１４は、図６に示した押圧部材１９を外した状態において、抑止機構２１を中心に拡大した図である。図１３は、抑止機構２１が係合位置にある状態を示しており、図１４は、解除位置にある状態を示している。図１５は、手差しトレイ１５の蓋板１５０を透過して押圧部材１９を下側からの視点で示している。
【００３６】
また、押圧部材１９下方の手差しトレイ１５の底面上には、押圧部材１９の解放位置から押圧位置への上昇を抑止する抑止位置及び抑止を解除する解除位置の間で移動可能な抑止機構２１が設けられている。抑止機構２１は、長尺板状をなし、抑止位置で押圧部材１９の係合爪１９１に係合する係合孔２１００を有する係合部材２１０と、係合部材２１０に連結された揺動部材２１１とを備えている。
【００３７】
ここでは、３本の係合爪１９１，１９１，１９１が直線上に並べて配置され、また、３本の係合爪１９１，１９１，１９１にそれぞれ対応する３個の係合孔２１００，２１００，２１００が、係合部材２１０の長手方向に並ぶように開設された例を示している。ただし、図１３及び図１４については、係合爪１９１，１９１，１９１に対応する位置を仮想線にて示している。直線上に並ぶ３本の係合爪１９１，１９１，１９１のうち、中央の１本は、係合部材２１０の長手方向に向けて爪が伸びており、端側の２本は、係合部材２１０の幅方向に向けて爪が伸びている。また、端側の２本は、係合部材２１０の移動に対するガイドとしての機能をも有している。
【００３８】
揺動部材２１１は、中心角が直角を形成する略扇型の板状をなし、扇の中心を軸として周方向に揺動自在に軸支されている。揺動部材２１１の扇型の円弧の一端には、連動機構２０の当接部材２０１に当接される突起部２１１０が突設されており、突起部２１１０が当接した連動機構２０からの押圧の作用を受けて、揺動部材２１１は揺動する。揺動部材２１１の扇型の円弧の他端は、連動機構２０からの押圧の作用による揺動を、係合部材２１０の長手方向の直線運動に変換するスライドリンク部２１１１となっている。
【００３９】
長尺板状をなす係合部材２１０は、長手方向が給紙ローラ１６の回転軸１６０と平行になるように配置されている。係合部材２１０の配置位置には、係合部材２１０が長手方向に、抑止位置から解除位置までの間で、直線的に摺動可能なように図示しないガイドが設けられている。係合部材２１０の一端（図中の左端）は、揺動部材２１１のスライドリンク部２１１１と係合する連結係合部２１０１となっている。揺動部材２１１のスライドリンク部２１１１は、揺動部材２１１の揺動運動を係合部材２１０の直線運動へ滑らかに変換するように形成された角丸四角形状をなす連結孔であり、係合部材２１０の連結係合部２１０１は、連結孔の内縁部に当接する当接ピンである。
【００４０】
係合部材２１０の係合孔２１００は、長方形状をなしており、係合孔２１００の長辺方向が、係合部材２１０の長手方向と平行になるように開設されている。前述のように、係合部材２１０の一端（左端）には、揺動部材２１１が連結されている。そして係合部材２１０の他端（右端）には、係合用圧縮スプリング２１１２が配設されており、係合用圧縮スプリング２１１２は、係合部材２１０を他端側から一端側（左端側）へ押圧する。係合部材２１０が一端側の移動端に位置する状態が係合位置（図１３参照）であり、他端側（右端側）の移動端に位置する状態が解除位置（図１４参照）である。
【００４１】
押圧部材１９の裏面には、手差しトレイ１５の底面から押圧する押圧用圧縮スプリング１９０が配置されていて、係合部材２１０が解除位置に移動すると、押圧用圧縮スプリング１９０に押し上げられて押圧部材１９は押圧位置まで上昇する。また、押圧部材１９の裏面には、手差しトレイ１５に載置された用紙に対し、給紙方向に対して直行する方向の動きを規制する規制部材の間隔を調整するためのラックピニオン機構を用いた規制間隔調整部１９３が配設されている。
【００４２】
本発明に係る給紙装置１の押圧部材１９、連動機構２０及び抑止機構２１は上記構成となっている。従って、係合部材２１０は、給紙ローラ１６の回転に伴う揺動部材２１１の揺動により、一端側から他端側へ押圧されると、係合位置から解除位置まで移動する。係合部材２１０が解除位置まで移動すると、押圧部材１９の係合爪１９１が係合部材２１０の係合孔２１００から外れ、押圧部材１９は押圧位置に上昇する。また、給紙ローラ１６の回転が止まると、係合部材２１０の他端側に配設された係合用圧縮スプリング２１１２により、係合部材２１０は他端側から一端側へ、即ち解除位置から係合位置まで移動する。係合部材２１０が係合位置に移動している場合に、使用者が押圧部材１９を押し下げると、押圧部材１９の係合爪１９１が係合部材２１０の係合孔２１００に係り、係合状態となる。
【００４３】
そして、給紙トレイの押圧部材１９上に載置された用紙を搬送ガイド１７に沿って画像形成部１８へ供給すべく、駆動ローラが駆動して給紙ローラ１６の回転軸１６０が回転すると、連動機構２０の連動回転体２００が回転する。連動機構２０の回転は、圧接部材２０２により当接部材２０１に伝えられ、当接部材２０１は当接部２０１０により、抑止機構２１が抑止位置から解除位置へ移動するまで押圧する。連動機構２０の当接部材２０１により押圧された抑止機構２１は、揺動部材２１１が揺動し、係合部材２１０を摺動させる。係合部材２１０が摺動、即ち、抑止位置から解除位置へ移動することにより、押圧部材１９の係合爪１９１の係合が外れ、押圧部材１９は押圧位置まで上昇し、用紙を給紙ローラ１６に押圧する。
【００４４】
このように構成された本発明に係る給紙装置１、及び給紙装置１を用いた画像形成装置２は、装置の大型化、制御系統の複雑化の要因となりやすい電磁クラッチ等の機構を必要としないため、装置の小型化、薄型化が容易であり、制御系統を必要以上に複雑化させることがない等、優れた効果を奏する。
【００４５】
（第２の実施形態）
第２の実施形態として、前述の第１の実施形態を他の給紙機構に適用する例を説明する。なお、以降の説明において、第１の実施形態と同様の構成については、同一の符号を付し、第１の実施形態を参照するものとし、その説明を省略する。
【００４６】
図１に概略斜視図を示した給紙装置１において、給紙装置１の前面（図中左側）には、引き出し可能な収容部１４の引き出し口が配置されている。収容部１４は、用紙を積載して収容する用紙カセットであり、収容部１４を引き出すことにより用紙を収納することができる。
【００４７】
第２の実施形態では、収容部１４に収納された用紙を供給するため、収容部１４側に給紙ローラ、押圧部材、抑止機構、連動機構等の各種機構が配設される。これらの各種機構は、第１の実施形態にて詳述した各種機構と同様の機能を有するように構成することにより、押圧部材の上昇を、電磁クラッチを用いずに実現することができる。従って、小型化が可能で、制御系統を必要以上に複雑化させることがない給紙装置１を実現することが可能である。
【００４８】
なお、収容部１４側の給紙ローラ、押圧部材、抑止機構、連動機構等の各種機構は、第１の実施形態に対して配設位置が異なることにより、大きさ、形状、配置等に若干の設計変更を要するものの、実質的に第１の実施形態と同様の構成になるため、詳細な図面及び説明については省略する。
【００４９】
（第３の実施形態）
第３の実施形態として、前述の第１の実施形態を他の給紙機構に適用する例を説明する。なお、以降の説明において、第１の実施形態と同様の構成については、同一の符号を付し、第１の実施形態を参照するものとし、その説明を省略する。
【００５０】
図１に概略斜視図を示した給紙装置１において、給紙装置１の上部の読取部１０は、読み取りの対象となる原稿を載置する載置台１００を有しており、載置台１００に載置された原稿を、図示しない取込ローラにて取り込み、取り込んだ原稿から画像を読み取って排出する。即ち、読取部１０は、用紙を供給する機構を有している。第３の実施形態は、このような思想に基づくものであり、載置台１００に押圧部材を設け、取込ローラを給紙ローラとして機能するように構成し、更に、抑止機構、連動機構等の各種機構を設けることにより、本発明に係る給紙装置１を構成する形態である。
【００５１】
なお、読取部１０側の給紙ローラ（取込ローラ）、押圧部材、抑止機構、連動機構等の各種機構は、第１の実施形態に対して配設位置が異なることにより、大きさ、形状、配置等に若干の設計変更を要するものの、実質的に第１の実施形態と同様の構成になるため、詳細な図面及び説明については省略する。
【００５２】
前記第１〜第３の実施形態は、本発明の無数に存在する実施例の一部を開示したに過ぎず、目的、用途、仕様、設定等の様々な要因を加味して適宜設計することが可能である。
【００５３】
例えば、給紙装置１は、画像形成装置２以外の装置、例えば、用紙の枚数を計数する計数装置、用紙を裁断する裁断装置等の様々な装置に展開することが可能である。
【００５４】
また、ここでは、便宜上、給紙装置と称しているが、ここでいう用紙との文言は広義の意味で使用している。即ち、供給する媒体は、用紙として使用可能な紙状物、即ちシート状物であれば、ＯＨＰ用フィルム等、狭義の用紙以外の物であっても良い。
【００５５】
また、各部材についても本発明の機能から逸脱しない範囲で適宜好適なものを選択することが可能である。例えば、押圧部材１９を押し上げる押圧用圧縮スプリング１９０に代えて板バネを用いても良い。また、連動機構２０についても、回転運動を押圧につなげるクランクとして形成する等、適宜設計することが可能である。
【００５６】
また、前記実施形態では、給紙ローラ１６が、回転軸１６０に対して固定されており、回転軸１６０が回転することにより、給紙ローラ１６が回転するように構成した例について説明した。ただし、回転軸が回転しないように固定し、給紙ローラが回転軸に対して回転自在となるように構成することも可能である。この場合、ベルト、ギア等の介在物を介して駆動力を給紙ローラに伝達するとともに、これらの介在物にて連動機構等の他の機構を動作させることになる。即ち、便宜上、回転軸との文言を用いているが、必ずしも軸そのものが回転することを意味するものではない。他の機構の軸についても同様であり、目的、用途、仕様等の様々な要件を加味して軸と当該軸により支持される各種回転体との関係を設計することができる。
【００５７】
また、本発明は手差しトレイ、用紙カセット及び載置台以外の給紙機構にも適用することが可能である。さらに、第１〜第３の実施形態は、それぞれ個別に実現することも可能であるが、一台の給紙装置１に、複数の実施形態を含むように構成して実施することも可能である。
【００５８】
以上詳述したように、本願に記載の給紙装置１は、トレイに載置された用紙を、昇降可能な押圧部材１９により、給紙ローラ１６に押圧し、前記給紙ローラ１６の回転により、供給先へ供給する給紙装置１であって、前記給紙ローラ１６に用紙を押圧する押圧位置及び押圧を解放する解放位置の間で昇降可能な押圧部材１９と、前記押圧部材１９の押圧位置への上昇を抑止する抑止位置及び抑止を解除する解除位置の間で移動可能な抑止機構２１と、前記給紙ローラ１６の回転に連動して、前記抑止機構２１を解除位置に移動させる連動機構２０とを備えることを特徴とする。
【００５９】
したがって、装置の大型化、制御系統の複雑化の要因となりやすい電磁クラッチ等の機構を必要としない。
【００６０】
また、本願に記載の給紙装置１は、前記連動機構２０は、前記給紙ローラ１６の回転に連動して回転する連動回転体２００と、前記抑止機構２１に当接して移動させる当接部材２０１と、前記連動回転体２００を前記当接部材２０１に圧接させる圧接部材２０２とを有し、前記当接部材２０１は、圧接された前記連動回転体２００の回転に伴い、前記抑止機構２１が少なくとも解除位置に移動するまで前記抑止機構２１を押圧することを特徴とする。
【００６１】
したがって、給紙装置１は、給紙ローラ１６の回転軸１６０の回転運動を抑止機構２１に対する押圧作用として伝えることができる。
【００６２】
また、本願に記載の給紙装置１は、前記当接部材２０１は、圧接された前記連動回転体２００の回転に伴う連動動作により、前記抑止機構２１が解除位置に移動するまで押圧し、前記抑止機構２１が解除位置に到達後、連動動作を停止して、回転する前記連動回転体２００と摺接することを特徴とする。
【００６３】
したがって、給紙装置１が備える給紙ローラ１６の回転軸１６０の回転運動を、抑止機構２１が解除位置に到達するまで伝達し、抑止機構２１が解除位置に到達後は、連動動作が停止される。
【００６４】
また、本願に記載の給紙装置１は、前記連動回転体２００は、側面に歯が形成された有底円筒状をなす平歯車であり、前記給紙ローラ１６と共有する軸（回転軸１６０）の回転にて前記給紙ローラ１６と供に回転するローラ側ギア２０３に、中間ギア２０４を介して歯合し、前記圧接部材２０２は、前記連動回転体２００に内嵌して、前記連動回転体２００の底面を前記当接部材２０１に圧接させる圧縮スプリング（押圧用圧縮スプリング１９０）であり、前記当接部材２０１は、前記中間ギア２０４を軸支する軸に遊嵌し、前記連動回転体２００の軸を保持し、前記中間ギア２０４の軸を揺動中心として揺動する揺動カムとして、圧接された前記連動回転体２００の回転に伴い前記抑止機構２１を押圧することを特徴とする。
【００６５】
したがって、給紙装置１が備える給紙ローラ１６の回転軸１６０の回転運動を、抑止機構２１が解除位置に到達するまで伝達し、抑止機構２１が解除位置に到達後は、連動動作が停止される。
【００６６】
また、本願に記載の給紙装置１は、前記抑止機構２１は、前記押圧部材１９に係合する係合孔２１００を有し、前記抑止位置で押圧部材１９に係合し、前記解除位置で係合を解除することを特徴とする。
【００６７】
したがって、給紙装置１が備える抑止機構２１は、係合孔２１００の係合により、押圧部材１９の上昇を抑止する。
【００６８】
また、本願に記載の給紙装置１は、前記抑止機構２１は、前記係合孔２１００を有する係合部材２１０と、前記係合部材２１０に連結された揺動部材２１１とを備え、前記揺動部材２１１は、前記連動機構２０からの作用により揺動し、前記係合部材２１０は、前記揺動部材２１１の揺動に連動して前記抑止位置から前記解除位置へ移動する。
【００６９】
したがって、給紙装置１が備える抑止機構２１は、揺動部材２１１及び係合部材２１０が連携して押圧部材１９を係合し、また係合を解除する。
【００７０】
また、本願に記載の給紙装置１は、前記抑止機構２１は、長尺板状をなし、前記抑止位置で前記押圧部材１９に係合する係合孔２１００を有する係合部材２１０と、前記係合部材２１０に連結された揺動部材２１１とを備え、前記揺動部材２１１は、前記連動機構２０からの作用を受けて揺動し、前記連動機構２０からの作用による揺動を、前記係合部材２１０の長手方向の直線運動に変換するスライドリンク部２１１１を有し、前記係合部材２１０は、長手方向となる、前記係合孔２１００にて前記押圧部材１９に係合する前記抑止位置、及び係合を解除する前記解除位置の間で移動可能であり、前記スライドリンク部２１１１と係合する連結係合部２１０１を備え、前記連結係合部２１０１が前記スライドリンク部２１１１からの作用を受けて、前記抑止位置から前記解除位置へ移動することを特徴とする。
【００７１】
したがって、給紙装置１が備える抑止機構２１は、揺動部材２１１及び係合部材２１０が連携して押圧部材１９を係合し、また係合を解除する。
【００７２】
また、本願に記載の給紙装置１は、前記押圧部材１９は、用紙を載置する載置面を有する板状をなし、前記給紙ローラ１６の回転軸１６０に平行に配置された揺動軸１９２と、前記載置面の裏面に位置する圧縮スプリング（押圧用圧縮スプリング１９０）と、前記抑止機構２１に係合する係合爪１９１とを備えることを特徴とする。
【００７３】
したがって、給紙装置１が備える押圧部材１９は、押圧用圧縮スプリング１９０による裏面からの押上により、用紙を押圧し、また、係合爪１９１で係合することにより、押圧を解放した状態となる。
【００７４】
さらに本願に記載の画像形成装置２は、前記給紙装置１と、前記給紙装置１から供給された用紙上に画像を形成する画像形成部１８とを備える。
【００７５】
したがって、画像形成装置２は、装置の大型化、制御系統の複雑化の要因となりやすい電磁クラッチ等の機構を必要としない。
【符号の説明】
【００７６】
１  給紙装置
２  画像形成装置
１０  読取部
１００  載置台
１１  操作パネル
１２  排出部
１３  開閉部
１４  収容部
１５  手差しトレイ
１５０  蓋板
１５１  折返し板
１６  給紙ローラ
１６０  回転軸
１６１  駆動ギア
１７  搬送ガイド
１８  画像形成部
１９  押圧部材
１９０  押圧用圧縮スプリング
１９１  係合爪
１９２  揺動軸
１９３  規制間隔調整部
２０  連動機構
２００  連動回転体
２０１  当接部材
２０１０  当接部
２０１１  付勢部材
２０２  圧接部材
２０３  ローラ側ギア
２０４  中間ギア
２１  抑止機構
２１０  係合部材
２１００  係合孔
２１０１  連結係合部
２１１  揺動部材
２１１０  突起部
２１１１  スライドリンク部
２１１２  係合用圧縮スプリング
【図１】
0005843811.tif 000002
【図２】
0005843811.tif 000003
【図３】
0005843811.tif 000004
【図４】
0005843811.tif 000005
【図５】
0005843811.tif 000006
【図６】
0005843811.tif 000007
【図７】
0005843811.tif 000008
【図８】
0005843811.tif 000009
【図９】
0005843811.tif 000010
【図１０】
0005843811.tif 000011
【図１１】
0005843811.tif 000012
【図１２】
0005843811.tif 000013
【図１３】
0005843811.tif 000014
【図１４】
0005843811.tif 000015
【図１５】
0005843811.tif 000016